(57)【要約】【課題】      遊技場に於ける個々の遊技機毎の稼働状況を把握する遊技機管理システムを用いて、遊技場の運営施策を立案するなどにより、発展的に運用する。【解決手段】  稼働情報データを一定周期で区切って計数し、稼働情報データを時系列化して管理コンピュータの保有する表示端末に表示することにより、遊技機のトラブルの生じた状況や、遊技者がなす不正の存在の把握、設置されている各機種の遊技機の人気度の把握、その他新機種の試験的投入、各遊技機をグループ化するなどをおこないグループ毎に状況を把握し、運営情報データを得、遊技場の運用に関する次の施策を立案する為などの遊技場運営の基礎資料を提供する。【選択図】          図３
2010004927.tif 000002
【特許請求の範囲】
【請求項１】
遊技機（３）の稼働状況を把握する台情報ユニット（２）の遊技機稼働情報を記録する記録手段と、前記台情報ユニット（２）から稼働情報データを島内コンピュータ（４）に送信する送信手段を用いて送信し、島内コンピュータ（４）に稼働情報を記録する記録手段と、各島毎に記録された各遊技機毎の稼働情報データを管理コンピュータ（５）に送信する送信手段を有する装置における個々の遊技機（３）毎の稼働状況を把握する遊技機管理システムであって、
各遊技機ごとの稼働情報データを一定周期で区切って計数し、前記稼働情報データを時系列化して管理コンピュータ（５）の保有する表示端末（６）に表示する手段として機能させることを特徴とする遊技機管理システム。
【請求項２】
遊技機の稼働情報データを任意に指定した期間のデータを抽出し、表示することを特徴とする請求項１に記載の遊技機管理システム。
【請求項３】
遊技機稼働情報データを機種毎、島毎、任意のグループ毎のいづれかの抽出条件で抽出し、表示することを特徴とする請求項１に記載の遊技機管理システム。
【発明の詳細な説明】
【技術分野】
【０００１】
遊技場内の遊技機の遊技状態を時系列化したデータを把握・分析可能とする手法に関する。
【背景技術】
【０００２】
従来の遊技場管理システムでは、運営情報の分析をおこなう為には、リアルタイムの運営情報や特定時間毎の瞬間的な運営情報をもとに過去の経験値から総合的に判断する必要があった。
【０００３】
近年、遊技機に対しても多々の機能が開発され、様々な機種が増加し営業形態も多様化してきている。その中で、より詳細な運営情報の把握や分析をおこなう為に、時系列化した運営情報を時経歴的に得ることにより、詳細に営業状況を把握し判断・分析できる遊技機管理システムの開発が望まれてきていた。
【０００４】
特許文献１には、遊技機から出力される信号を用いて、図柄変動の保留数に応じた特別遊技状態の発生分布、単位時間や単位アウト数あたりの図柄変動の回数に応じ特別遊技状態の発生分布を得るという遊技機管理システムが提供されている。しかし、そこには、時系列化した全貌を把握できる運営情報を得て、営業施策に繋がる営業情報の把握による判断・分析をおこなうという遊技場の経営上のサポートとなる情報の提供等については記載されていない。
【０００５】
本発明の目的は、長時間に渡って短い一定周期で計数を把握し、時系列化した運営情報をもとに、時々刻々の遊技場の各遊技機の状態全体を把握し、遊技場管理システムを持って遊技場の管理をおこない、営業上の施策、要望を踏まえた遊技場管理システムの情報分析機能を向上させることにある。
【０００６】
【特許文献１】特願２００５−３５４７５７号
【発明の開示】
【発明が解決しようとする課題】
【０００７】
まず、遊技機の遊技の状態について記載する。遊技場管理においては、遊技者が、個々に遊技機をもって遊技するにあたり、該個々の遊技機毎の稼働情報を把握する必要がある。遊技機ごとの遊技状態は、「稼働」、「非稼働」および「特別遊技状態」（第１の特別遊技状態・第２の特別遊技状態など）の複数の種類からなる。通常の「稼働状態」で運営されている遊技機の「特別遊技状態」発生のプロセスには、特定の図柄が揃う等の可動入賞装置内に形成される継続領域への入賞の他、特別入賞装置内の特別領域への玉の入賞などがある。前記特別遊技状態になった場合、一定期間「特別遊技状態」が続き、該一定期間経過後、該特別遊技状態が停止する。
【０００８】
また、図柄変動型の遊技機の機種の場合、図柄の変動とともに、図柄が特定状態になった場合に、「特別遊技状態」が続き、一定期間経過後、該特定遊技状態が停止する。
【０００９】
上記の様に、遊技機の遊技状態は、遊技者が個々に遊技機をもって、遊技するにあたり、個々の遊技機ごとに時々刻々変動するものである。また、近年の様々な機種の増加や営業形態の多様化に対応するためには、より詳細な運営情報データをもって個々の遊技機の稼働状態を把握して、的確な対応を取る必要が生じて来る。特に、遊技者が利用する遊技機の玉数の変動については、常に把握し、個々の遊技機の稼働の動向をフォローできることが好ましい。
【００１０】
遊技機の玉数の変動については、過去のリアルタイムな運営情報や一定時間毎の瞬間的な運営情報だけでは、時系列的な個々の遊技機の稼働状態の把握や、それを用いての関係する詳細な分析をおこなう為には、不十分であった。
【課題を解決するための手段】
【００１１】
上記課題を解決するための手段としては、請求項１に記載のとおりの遊技機管理システムが有効である。すなわち、個々の遊技機（３）の稼働状況を把握する台情報ユニット（２）の遊技機稼働情報を記録する記録手段と、前記台情報ユニット（２）から稼働情報データを島内コンピュータ（４）に送信する送信手段を用いて送信し、島内コンピュータ（４）に稼働情報を記録する記録手段と、各島毎に記録された各遊技機毎の稼働情報データを管理コンピュータ（５）に送信する送信手段を有する装置における個々の遊技機（３）毎の稼働状況を把握する遊技機管理システムであって、各遊技機ごとの稼働情報データを一定周期で区切って計数し、前記稼働情報データを時系列化して管理コンピュータ（５）の保有する表示端末（６）に表示する手段として機能させることを特徴とする遊技機管理システムを提供することである。
【００１２】
請求項１に記載の発明によると、遊技機の稼働情報データを短時間一定周期で計数し、時系列化したデータを把握することで、それぞれの、遊技機毎の玉数の変動、すなわち遊技者が遊技機に打ち込む玉数（アウト玉数）に対して、払い出される玉数（セーフ玉数）との関係から、打ち込む玉数と払い出される玉数との比をもって、遊技機の遊技者側からの状態をあらわす指標を多く「ベース」と定義されているが、該遊技機に出入りする玉数の変動の状態を時系列的にデータとして把握することにより、その遊技機の稼働の状態が把握でき、例えば、遊技機のトラブルの発生した状況や、時には遊技者がなす不正を検知することもできる。また、「稼働」の状況から設置されている各種の遊技機の人気度の把握や、新規種の遊技機の試験的投入の状況などを把握しデータとして得ることができ、遊技機の遊技状態を時系列化したデータを把握・分析可能とする環境を得ることができる。
【００１３】
また、課題を解決するための第２の発明は、請求項２に記載のとおりの遊技機管理システムである。すなわち、遊技機稼働情報データの任意に指定した期間のデータを抽出し、出力する遊技機管理システムを提供することである。
【００１４】
請求項２に記載の発明によると、請求項１の発明によって得られた、管理コンピュータの保有する表示端末に表示された遊技機の稼働情報データにより、遊技機の運営情報データに不自然が見出された様な場合に、その指定した期間のデータを抽出することによって、さらに詳細に、該個々の遊技機の遊技状態を把握・分析することができ、遊技場の運用についての施策を立案するなどの情報を得ることができる。それにより、例えば遊技者がなす不正の発覚、その他設置されている各機種の遊技機の人気度の把握や、新規種類の遊技機の試験的投入の状況などを把握することが可能となる。また、遊技者の不正や遊技機のトラブル時の情報と遊技場に設置されているカメラの記録と時間を合わせることにより、事が生じた場合の原因究明の貴重な情報ともなり、時に生じる遊技場のトラブル解決のための重要なツールとも成り得る。
【００１５】
さらに、課題を解決するための第３の発明は、請求項３に記載のとおりの遊技機管理システムである。すなわち、遊技機稼働情報データを機種毎、島毎、任意のグループ毎のいづれかの抽出条件で抽出し、表示する遊技機管理システムを提供することである。
【００１６】
請求項３に記載の発明によると、請求項１の発明によって得られた、管理コンピュータの保有する表示端末に表示された遊技機の稼働情報データを用いて、多種なパターンで個々の遊技機のデータを集約しグループ化して表示し、そこで得られた運用情報データを基に、遊技場でおこなわれた、営業力を上げる施策の効果の状況を得て、新たな施策を実施する計画を立案するなどの情報が得られる。
【００１７】
特に、最近の遊技場での個々の遊技機の配置については、多くある機種の遊技機をランダムに配置したり、シリーズ化して配置したり、あるいは、島毎や任意のグループ毎などあらゆるパターンの配置がなされる様になって来ているが、その多くある種類の遊技機を把握したいグループ毎に集約してその運営情報を得て、次の施策の基礎資料を把握することができる。また、多くある新機種の試行的配置の状況の把握などの情報を得ることも可能となる。
【発明の効果】
【００１８】
遊技機の稼働情報データを短時間一定周期で計数し、該遊技機に出入りする玉数の変動の状態を時系列的にデータとして把握することにより、その遊技機の稼働の状態が把握でき、例えば、遊技機のトラブルの生じた状況や、場合によっては、遊技者がなす不正の存在の把握、その他設置されている各機種の遊技機の人気度の把握や、新規種の遊技機の試験的投入の状況などを把握し、運営情報データとして得ることができ、遊技機の遊技状態を時系列化したデータを把握・分析することが可能となる。
【００１９】
また、前記のように得られた時系列的データを希望する特定の時間を設定して、その設定した期間のデータを抽出することによって、さらに詳細に、該個々の遊技機の遊技状態を把握・分析することができ、遊技場についての運営施策を立案するなど発展的に運用することができる。
【００２０】
前記のように、希望する特定の時間を設定して、その設定した期間のデータを抽出するに際し、遊技場に配備されている個々の遊技機の特徴を基軸に機種ごと、島ごと、任意のグループ毎などあらゆるパターンの集合データを得ることにより、その運営情報を得て、次の施策の基礎資料を把握することができる。
【００２１】
これら運営情報データを用いて、遊技場内に配備された各遊技機の機種や運営形態による効果や実績の分析、さらには、今後の営業形態や施策、機種構成・配置などを検討するための分析をおこなう上での参考になるデータが提供される。
【発明を実施するための最良の形態】
【００２２】
以下、本発明の実施の形態を示す実施例について、図１ないし図４を用いて説明する。下記実施の形態は、遊技機情報管理の一実施例として記載する。
【００２３】
図１は、当該発明に関する遊技機情報管理システム構成図１を示している。すなわち、遊技場ホールに於いて、個々の遊技機３のデータを取得するため、遊技機３の１台あるいは複数台ごとに１台の台情報ユニット２が配備されている。該台情報ユニット２を数台あるいは数十台を一つの「島」としてくくり、島内コンピュータ４は、個々の台情報ユニット２から遊技機情報を通信回線を介して遊技機情報データを数秒ごとに抽出して保有する。該複数の島内コンピュータ４はイーサーネットシステム配線等を通じて連結されている。管理コンピュータ５は、前記累積されている島内コンピュータ４内の遊技機情報を５分分づつ読み込み、該遊技機情報として時系列的に編集し出力のモニターである遊技場ホール内の表示端末６に図３あるいは図４の様式で表示する。
【００２４】
次に、本発明に基づき得られた、遊技場の遊技機情報データを時系列的にまとめたものを用いて、把握できる遊技機の状態について説明する。図２−（ａ）（ｂ）（ｃ）（ｄ）の横方向は、時間を表し、個々の列は、１分毎に区切られている。図２の各図（以下図ａないし図ｄを表す）の１行目は、遊技機の遊技状態を表し、通常の「稼働」、第１の特別遊技状態を表す「特賞」、および第２の特別遊技状態を表す「確変」のいずれの状態であるかを示す。同じく図２の各図の２行目は、遊技の玉数の内の払い出される球数、すなわち「セーフ玉数」を示す。同じく図２の各図の３行目は、遊技者が遊技機に打ち込まれる球数、すなわち「アウト玉数」を示す。
【００２５】
また、同じく図２の各図の４行目は、同２行目に示す「セーフ玉数」の累計を示し、図２の各図の５行目は、第３行目に示す「アウト玉数」の累計を示す。図２の列を１分ないし３０分で区切ると列３１には、図２の各図２行目に「セーフ玉数」の累計、３行目に「アウト玉数」の累計が示される。
【００２６】
図２の各図６行目には、各時間ごとの１分ないしｎ分までの累計ごとの遊技機の稼働の状態、いわゆる「ベース」を示す。ベースの計算式は、
「ベース」＝〔「セーフ玉数」／「アウト玉数」〕＊１００          式１
で表される。例えば、列９すなわち９分目の時間では、累計「セーフ玉数」＝１７０、同「アウト玉数」＝９００であり上記式に当てはめると、ベース＝（１７０／９００）＊１００＝１８．９となる。
【００２７】
図２の各図３行目列３２には、２行目の「セーフ玉数」の累計、３行目の「アウト玉数」の累計から計算された、累計の「ベース」の値が示されている。
【００２８】
次に、図２（ｂ）に示す様に、列１ないし１０の間は、全くトラブルも無く、「ベース」の値も１０．０から１８．９の間を変動しているが、列１１ないし１２に於いて、突然に「セーフ玉数」が平均１０個から３０個に対し１１０個を示し、遊技者が打ち込んだ球数である「アウト玉数」とほぼ同数の球数が遊技者に払い出されていることを示している。当該急激な玉数の変動をもって、何らかの異常を示唆していることがわかる。
【００２９】
さらに、図２（ｃ）に示す様に、列１ないし列７の間は全くトラブルも無く、「ベース」の値も１０．０から１８．０の間を変動しているが、列８ないし１２に於いて、突然に「アウト玉数」のゼロ表示が続いていいる。従い、その間、累計の「アウト玉数」が一定となることにより、急激に「ベース」の値が列８ないし１２と時間経過とともに、上昇している。当該急激な玉数の変動をもって、前記同様何らかの異常を示唆していることがわかる。
【００３０】
また、図２（ｄ）１行目列１ないし列２で通常の遊技状態である「稼働状態」から、図２（ｄ）列３からは、第１の特別遊技状態を表す「特賞状態」さらには、列１２からは、第２の特別遊技状態を表す「確変状態」に移行した場合の状況について示されている。「特賞状態」の場合では、遊技者に大きくサービスをする状態、つまり、通常の「稼働状態」に比べて同じ程度の「アウト玉数」を打ち込まれる場合でも、十数倍の率で「セーフ玉数」として、遊技者に払い出される。従い、「特賞状態」である列３ないし列１１の間では、通常１０ないし２０程度の「ベース」の値が、２８０ないし５４０となることを示している。
【００３１】
同様に、第２の特別遊技状態を表す「確変状態」についても同様である。同図２０（ｄ）で列１２ないし列１９の「確変状態」の場合には、「特賞状態」ほどでは無いが、通常の「稼働状態」の「ベース」の値より、８行目に記載されている様に、数倍高く表示されている。
【００３２】
さらに、図２の各図の４行列３２には、「セーフ玉数」「アウト玉数」の特定時間間の累計から求められる平均の「ベース」の値を示している。当該一定時間からなる平均の「ベース」の値が通常平均値より高いか低いかを判断し、その時間内に何らかのトラブルその他異常な状況が存在したか否かを判定し、対策を取ることができる。
【００３３】
時に、遊技者がおこなった不正遊技と判断できる様な異常なデータが存在した場合、遊技場内に設置されているモニターカメラにより得られた不正遊技の時間に該当する遊技機を撮影記録されているモニター画像と組み合わせ、時には、不正遊技撲滅の対策を施行する上での証拠を提供することができる。
【００３４】
この様にして、遊技機情報管理システムから提供され表示される遊技機の運営情報データを用いることによって、遊技機の遊技状態を時系列化したデータを把握・分析可能となる。さらには、個々の遊技機の遊技状態を把握・分析することができ、遊技場の運用についての施策を立案するなどの遊技場を発展的に運用することができる。
【００３５】
図３は、上記の遊技機情報管理システムから提供された運営情報データを管理コンピュータ５に付随する表示端末６に表示される画面の説明図である。ここでは例として、画面の呼び出しのトリガーとして日付指定の場合を表している。遊技機の個別番号と日付を指定することにより、上段には当該遊技機の縦軸に指定日の稼働開始から終了までの一時間毎に行替えしたグラフを示し、横軸には各一時間分の各1分ごとに集計した遊技機の稼働状態を示す。時々刻々の状態は、右上に示す凡例に沿って通常時の「稼働状態」、特別遊技状態の「特賞状態」あるいは「確変状態」のいずれの状態にあるかを示している。
【００３６】
また、画面の下半分には、表示開始および終了時間を設定することにより、図２に示された様に、その時々刻々の運用状態を横軸の１行目に示し、２行目に「セーフ玉数」３行目に「アウト玉数」を記載し、その下部には、同時に対応時間ごとの「ベース」の値を示す。これら、画面の表示内容については、上記図２に関する説明についての記載と同等のことが期待できる。
【００３７】
次に、図４について説明する。遊技機の個々の稼働状態については、全ての遊技者が遊技するにあたり、魅力的なものであり、個々の遊技機が出来るだけ定常的に十分に稼働していることが望まれる。また、最近の様に、新たな仕様の遊技機が開発され、その新仕様の遊技機の稼働状態をテスト的に試行して反応を見るなどの狙いが有るときなど、全体の営業時間と稼働との関係なども見ておきたいなど、遊技場の運営管理には、多々の希望される様式にまとめられたデータが入手できることが、望まれる。
【００３８】
さらには、遊技場の島の形成のあり方などレイアウトのことや、どの様な機種をどの様に配置すれば良いかなど、多くテスト的に運用情報を得たいという希望がある。その為に、図４では、上半分の画面に、任意のグループ、例えば、島ごとや特定の機種のグループなどの個々の遊技機の管理番号を縦軸に取り、横軸に時間を取って、日付・時間範囲を指定して抽出し、その希望するグループの遊技機毎の遊技状態を示す。図の右上に記載の凡例に基づき、稼働している場合には通常の稼働か特賞か確変と遊技状態をグラフで示し、稼働していない場合は、白地のグラフで示している。下半分の画面には、横軸に1時間毎の時間をとり、縦軸には、分子に指定グループ総台数の個々の遊技機の稼働時間の総和時間をまた、分母に該グループの総台数の運営総時間として求めた率を稼働率として単位を％で示し、次行には該グループの中で、実際に稼働している遊技機の台数を示す。
【００３９】
上記の図をもって、図４の右側に記載する様に、当該グラフと表を示すことによって、当該発明の前には、指定グループの中の稼働している遊技機の台数が把握できる程度であったが、図４の左の図を用いれば、指定日付・時間ごとの稼働率を得ることができる。
【００４０】
これらを必要な指定グループの区分けについて、時にはグループ化を入れ替えるなどおこなうことにより、複数のグループについて運用状態データを入手し、比較するなどをおこなうことができる。この様に、遊技機の遊技状態を時系列化したデータを用いて把握し分析可能とする。
【００４１】
さらには、指定グループ毎の遊技機の遊技状態を把握し分析することができ、遊技場の運用について、稼働率を最大にできる様に対策を立案するなど遊技場を発展的に運用する上での遊技機管理システムを活用しての運営を図ることができる。
【００４２】
以上、本発明の実施形態について説明を行ったが、上記に開示した実施形態は、あくまで例示であって、本発明の範囲はこの実施の形態に限定されるものではない。本発明の範囲は、特許請求の範囲の記載によって示され、更に特許請求の範囲と均等の意味及び範囲内でのすべての変更を含むことが意図される。
【産業上の利用可能性】
【００４３】
本出願の第１の発明によれば、遊技場内の該遊技機に出入りする玉数の変動の状態を時系列的にデータとして把握することにより、その遊技機の稼働の状態が把握でき、遊技場内の遊技機の遊技状態を時系列化したデータを把握し分析可能とする環境を得ることができる。
【００４４】
また、第２の発明によれば、得られた時系列的データの中から希望する特定の時間を設定し、その設定した期間のデータを抽出することによって、さらに詳細に該個々の遊技機の遊技状態を把握・分析することができ、遊技場の運用についての施策を立案するなど、遊技場を発展的に運用することができる。
【００４５】
さらに、第３の発明によれば、任意のグループ毎などあらゆるパターンの集合データを得ることにより、その運営情報を得て、遊技場運営の為の次の施策の基礎資料を把握することができる。
【００４６】
これら運営情報データを用いて、遊技場内に配備された各遊技機の機種や運営形態による効果や実績の分析、さらには、今後の営業形態や施策、機種構成や配置などを検討するための分析をおこなう上での参考になるデータが提供される。
【図面の簡単な説明】
【００４７】
【図１】遊技場情報管理システム構成図。
【図２】管理コンピュータに集約される遊技場運営情報データ。
【図３】遊技機ごとの遊技機運営集約データを時系列の表示例。
【図４】遊技場内の遊技機の配置の島ごと機種ごとグループごとなど必要に応じ集約した遊技機運営集約データの時系列の表示例。
【符号の説明】
【００４８】
１  遊技機情報管理システム構成図
２  台情報ユニット
３  遊技機
４  島内コンピュータ
５  管理コンピュータ
６  表示端末
【図１】
2010004927.tif 000003
【図２】
2010004927.tif 000004
【図３】
2010004927.tif 000005
【図４】
2010004927.tif 000006